(57)【要約】【課題】推奨ページを生成するための方法を提供すること。【解決手段】方法は、ユーザがウェブページにアクセスしたとき、１又は２以上の提示されるべきキーワードの中から少なくとも１つのキーワードを決定するステップであって、前記少なくとも１つのキーワードが、ユーザに対応する１又は２以上のユーザキーワードを含む、ステップと、アクセスされたウェブページ内に、前記少なくとも１つのキーワードを提示するステップと、前記少なくとも１つのキーワードに対するユーザの選択操作を取得して、ユーザの選択操作に基づいて、ユーザによって選択された、選択キーワードを決定するステップと、選択キーワードに対応する推奨ページを生成して、それを前記ユーザに提示するステップであって、前記推奨ページが、前記選択キーワードに関連付けられたキーワード推奨情報のうちの少なくとも１つを含む、ステップとを備える。 【選択図】図１
2015191655.tif 000002
【特許請求の範囲】
【請求項１】
推奨ページを生成するための方法であって、
ａ．ユーザがウェブページにアクセスしたとき、１又は２以上の提示されるべきキーワードの中から少なくとも１つのキーワードを決定するステップであって、前記少なくとも１つのキーワードが、前記ユーザに対応する１又は２以上のユーザキーワードを含む、ステップと、
ｂ．前記アクセスされたウェブページ内に、前記少なくとも１つのキーワードを提示するステップと、
ｃ．前記少なくとも１つのキーワードに対する前記ユーザの選択を取得して、前記ユーザの選択に基づいて、前記ユーザによって選択された、選択キーワードを決定するステップと、
ｄ．前記選択キーワードに対応する推奨ページを生成して、前記推奨ページを前記ユーザに提示するステップであって、前記推奨ページが、前記選択キーワードに関連付けられたキーワード推奨情報のうちの少なくとも１つを含む、ステップと
を備える方法。
【請求項２】
アクセスされたウェブページ内に、少なくとも１つのキーワードを提示するステップが、
所定のキーワード提示形式と、前記アクセスされたウェブページの元のウェブページ情報とに基づいて、前記少なくとも１つのキーワードを含むウェブページを生成して、前記ウェブページをユーザに提示するステップ
をさらに備える、請求項１に記載の方法。
【請求項３】
１又は２以上の提示されるべきキーワードを取得するステップであって、少なくとも１つのキーワードが、ユーザに対応する１又は２以上のユーザキーワードを含む、ステップ
をさらに備える、請求項１に記載の方法。
【請求項４】
少なくとも１つのキーワードを取得するステップが、
ユーザのネットワーク利用履歴を解析して、前記ユーザに対応する１又は２以上のユーザキーワードを決定するステップ
をさらに備える、請求項３に記載の方法。
【請求項５】
少なくとも１つのキーワードが、ウェブページに対応する１又は２以上のページキーワードをさらに含み、
少なくとも１つのキーワードを取得するステップが、
前記ウェブページを解析して、前記ウェブページに対応するウェブページキーワードを取得するステップ
をさらに備える、請求項３に記載の方法。
【請求項６】
少なくとも１つのキーワードが、１又は２以上のホットキーワードをさらに含み、
少なくとも１つのキーワードを取得するステップが、
検索エンジンから検索関連情報を取得するステップと、
前記検索関連情報に基づいて、１又は２以上のホットキーワードを決定するステップと
をさらに備える、請求項３に記載の方法。
【請求項７】
ウェブページのカテゴリ関連情報を取得するステップ
を備え、
１又は２以上の提示されるべきキーワードの中から少なくとも１つのキーワードを決定するステップが、
前記ウェブページの前記カテゴリ関連情報に基づいて、前記少なくとも１つのキーワードの中から１又は２以上のキーワードを選択して、前記ウェブページ内に提示するステップ
をさらに備える、請求項１〜６のいずれかに記載の方法。
【請求項８】
推奨ページのための推奨情報のうちの少なくとも１つを取得するステップ
をさらに備え、
選択キーワードに対応する推奨ページを生成して、前記推奨ページをユーザに提示するステップが、
所定の推奨ページパターン情報と、前記取得された推奨情報のうちの少なくとも１つとに基づいて、推奨ページを生成するステップであって、前記推奨情報のうちの少なくとも１つが、前記選択キーワードに関連付けられたキーワード推奨情報のうちの少なくとも１つを含む、ステップ
をさらに備える、請求項１〜７のいずれかに記載の方法。
【請求項９】
推奨ページのための推奨情報のうちの少なくとも１つを取得するステップが、
選択キーワードに基づいて検索を実行し、前記選択キーワードに対応するキーワード推奨情報のうちの少なくとも１つを取得するステップ
をさらに備える、請求項８に記載の方法。
【請求項１０】
推奨情報のうちの少なくとも１つが、ユーザに関連付けられたユーザ推奨情報のうちの少なくとも１つをさらに含み、
選択キーワードに対応する推奨ページを生成して、前記推奨ページを前記ユーザに提示するステップが、
前記ユーザのネットワーク利用履歴を解析して、前記ユーザに対応するユーザ推奨情報のうちの少なくとも１つを決定するステップ
をさらに備え、
前記選択キーワードに対応する推奨ページを生成する前記ステップが、
キーワード推奨情報のうちの少なくとも１つと、前記決定されたユーザ推奨情報のうちの少なくとも１つとに基づいて、前記推奨ページを生成して、前記推奨ページを前記ユーザに提示するステップ
をさらに備える、請求項８又は９に記載の方法。
【請求項１１】
推奨ページを生成するためのページ生成装置であって、
ユーザがウェブページにアクセスしたとき、１又は２以上の提示されるべきキーワードの中から少なくとも１つのキーワードを決定するように構成された第１の決定デバイスであって、前記少なくとも１つのキーワードが、前記ユーザに対応する１又は２以上のユーザキーワードを含む、第１の決定デバイスと、
前記アクセスされたウェブページ内に、前記少なくとも１つのキーワードを提示するように構成された提示デバイスと、
前記少なくとも１つのキーワードに対する前記ユーザの選択操作を取得して、前記ユーザの選択操作に基づいて、前記ユーザによって選択された、選択キーワードを決定するように構成された第１の取得デバイスと、
前記選択キーワードに対応する推奨ページを生成して、前記推奨ページを前記ユーザに提示するように構成された生成デバイスであって、前記推奨ページが、前記選択キーワードに関連付けられたキーワード推奨情報のうちの少なくとも１つを含む、生成デバイスと
を備えるページ生成装置。
【請求項１２】
提示デバイスが、
所定のキーワード提示形式と、アクセスされたウェブページの元のウェブページ情報とに基づいて、少なくとも１つのキーワードを含むウェブページを生成して、前記ウェブページをユーザに提示すること
を実行するように構成される、請求項１１に記載のページ生成装置。
【請求項１３】
１又は２以上の提示されるべきキーワードを取得するように構成された第２の取得デバイスであって、少なくとも１つのキーワードが、ユーザに対応する１又は２以上のユーザキーワードを含む、第２の取得デバイス
をさらに備える、請求項１１に記載のページ生成装置。
【請求項１４】
第２の取得デバイスが、
ユーザのネットワーク利用履歴を解析して、前記ユーザに対応する１又は２以上のユーザキーワードを決定するように構成された第１の解析デバイス
をさらに備える、請求項１３に記載のページ生成装置。
【請求項１５】
少なくとも１つのキーワードが、ウェブページに対応する１又は２以上のページキーワードをさらに含み、
第２の取得デバイスが、
前記ウェブページを解析して、前記ウェブページに対応するウェブページキーワードを取得するように構成された第２の解析デバイス
をさらに備える、請求項１３に記載のページ生成装置。
【請求項１６】
少なくとも１つのキーワードが、１又は２以上のホットキーワードをさらに含み、
第２の取得デバイスが、
検索エンジンから検索関連情報を取得するように構成された検索取得デバイスと、
前記検索関連情報に基づいて、１又は２以上のホットキーワードを決定するように構成された第２の決定デバイスと
をさらに備える、請求項１３に記載のページ生成装置。
【請求項１７】
ウェブページのカテゴリ関連情報を取得するように構成されたカテゴリ取得デバイス
を備え、
第１の決定デバイスが、
前記ウェブページの前記カテゴリ関連情報に基づいて、少なくとも１つのキーワードの中から１又は２以上のキーワードを選択して、前記ウェブページ内に提示するように構成された選択デバイス
をさらに備える、請求項１１〜１６のいずれかに記載のページ生成装置。
【請求項１８】
推奨ページのための推奨情報のうちの少なくとも１つを取得するように構成された情報取得デバイス
をさらに備え、
生成デバイスが、
所定の推奨ページパターン情報と、前記取得された推奨情報のうちの少なくとも１つとに基づいて、推奨ページを生成するように構成され、前記推奨情報のうちの少なくとも１つが、選択キーワードに関連付けられたキーワード推奨情報のうちの少なくとも１つを含む、請求項１１〜１７のいずれかに記載のページ生成装置。
【請求項１９】
情報取得デバイスが、
選択キーワードに基づいて検索を実行し、前記選択キーワードに対応するキーワード推奨情報のうちの少なくとも１つを取得するように構成された検索デバイス
をさらに備える、請求項１８に記載のページ生成装置。
【請求項２０】
推奨情報のうちの少なくとも１つが、ユーザに関連付けられたユーザ推奨情報のうちの少なくとも１つをさらに含み、
情報取得デバイスが、
前記ユーザのネットワーク利用履歴を解析して、前記ユーザに対応するユーザ推奨情報のうちの少なくとも１つを決定するように構成された第３の解析デバイス
をさらに備え、
生成デバイスが、
キーワード推奨情報のうちの少なくとも１つと、前記決定されたユーザ推奨情報のうちの少なくとも１つとに基づいて、推奨ページを生成して、前記推奨ページを前記ユーザに提示するようにさらに構成される、請求項１８又は１９に記載のページ生成装置。
【請求項２１】
コンピュータコードを含み、前記コンピュータコードが実行されたとき、請求項１〜１０のいずれかに記載の方法が完了される、コンピュータ可読ストレージ媒体。
【請求項２２】
実行されたとき、請求項１〜１０のいずれかに記載の方法が完了される、コンピュータプログラム製品。
【請求項２３】
ストレージとプロセッサとを備えるコンピュータ装置であって、前記ストレージがコンピュータコードを記憶し、前記プロセッサが、前記コンピュータコードを実行して、請求項１〜１０のいずれかに記載の方法を実施するように構成される、コンピュータ装置。
【発明の詳細な説明】
【技術分野】
【０００１】
本発明は、コンピュータ技術の分野に関し、より詳細には、推奨ページを生成するための方法及び装置に関する。
【背景技術】
【０００２】
従来技術では、推奨キーワードがウェブページ内でユーザに表示されるとき、推奨キーワードは、常にページ又はウェブサイトのコンテンツのみに基づいて生成され、推奨キーワードのタイプは、比較的画一的（onefold）であり、ユーザは、ウェブページのコンテンツ以外から、提示されたキーワードの中から自分の関心のあるキーワードを見つけることができない。その上、従来技術における解決策によれば、ユーザがキーワードを選択した後、推奨情報をユーザに対して提示するとき、ユーザ選好に関係のある推奨情報は、ユーザのネットワーク利用履歴を解析することを通して取得されず、その結果、提示された推奨情報はユーザの要求を十分に満たすものではなかった。
【発明の概要】
【課題を解決するための手段】
【０００３】
本発明の目的は、推奨ページを生成するための方法を提供することであり、前記方法は、
ａ．ユーザがウェブページにアクセスしたとき、１又は２以上の提示されるべきキーワードの中から少なくとも１つのキーワードを決定するステップであって、前記少なくとも１つのキーワードが、ユーザに対応する１又は２以上のユーザキーワードを含む、ステップと、
ｂ．アクセスされたウェブページ内に、前記少なくとも１つのキーワードを提示するステップと、
ｃ．前記少なくとも１つのキーワードに対するユーザの選択操作を取得して、ユーザの選択操作に基づいて、ユーザによって選択された、選択キーワードを決定するステップと、
ｄ．前記選択キーワードに対応する推奨ページを生成して、前記推奨ページを前記ユーザに提示するステップであって、前記推奨ページが、前記選択キーワードに関連付けられたキーワード推奨情報のうちの少なくとも１つを含む、ステップと
を備える。
【０００４】
本発明の一態様によれば、推奨ページを生成するためのページ生成装置（page generating apparatus）がさらに提供され、前記ページ生成装置は、
ユーザがウェブページにアクセスしたとき、１又は２以上の提示されるべきキーワードの中から少なくとも１つのキーワードを決定するように構成された第１の決定デバイスであって、前記少なくとも１つのキーワードが、ユーザに対応する１又は２以上のユーザキーワードを含む、第１の決定デバイスと、
アクセスされたウェブページ内に、前記少なくとも１つのキーワードを提示するように構成された提示デバイスと、
前記少なくとも１つのキーワードに対するユーザの選択操作を取得して、ユーザの選択操作に基づいて、ユーザによって選択された、選択キーワードを決定するように構成された第１の取得デバイスと、
選択キーワードに対応する推奨ページを生成して、前記推奨ページを前記ユーザに提示するように構成された生成デバイスであって、前記推奨ページが、選択キーワードに関連付けられたキーワード推奨情報のうちの少なくとも１つを含む、生成デバイスと
を備える。
【０００５】
従来技術と比較して、本発明は以下の利点、すなわち、１）ユーザのネットワーク利用履歴及びアクセスされたウェブページを解析することを通して、ユーザが関心を示す、ウェブページのコンテンツを表すキーワードを決定して、決定されたキーワードをウェブページ内でユーザに提示（表示）するようにし、ユーザがアクセスしたページ内で複数のソースのキーワードを調べることができるようにし、それによって、ユーザに推奨されるキーワードの精度を高め、推奨キーワードがユーザのニーズをより満たすようにすること、２）ユーザのネットワーク利用履歴とともに、ユーザによって選択されたキーワードに基づいて、ユーザのニーズにより整合する推奨情報を取得すること、３）さらに、現在のホットな情報、例えば、検索エンジン中のホットな検索ワードをさらに組み合わせることによって、提供され得るキーワード及び推奨情報コンテンツをさらに豊富にして、ユーザのニーズをより十分にカバーするようにすることを有する。
【図面の簡単な説明】
【０００６】
本発明の他の特徴、目的及び利点は、以下の図面を参照しながら非限定的な実施形態の詳細な説明を通して、より明らかになるであろう。
【図１】本発明による推奨ページを生成するための方法のフローチャートを概略的に示す図である。
【図２】本発明による推奨ページを生成するためのページ生成装置の構成を示す概略ブロック図である。
【０００７】
添付の図面における同じ又は同様の参照番号は、同じ又は同様の構成要素を表す。
【発明を実施するための形態】
【０００８】
以下、添付の図面を参照しながら、本発明をさらに詳細に説明する。
【０００９】
図１は、本発明による推奨ページを生成するための方法のフローチャートを概略的に示す図である。本発明による方法は、ステップＳ００１と、ステップＳ００２と、ステップＳ００３と、ステップＳ００４とを備える。
【００１０】
本明細書では、本発明による方法は、コンピュータデバイス中に含まれるページ生成装置により実現される。前記コンピュータデバイスは、事前に設定又は記憶された命令に従って数値計算及び／又は情報処理を自動的に行うことが可能な電子デバイスを備え、そのハードウェアは特に限定されないが、例えばマイクロプロセッサ、特定用途向け集積回路（ＡＳＩＣ, application-specific integrated circuit）、フィールドプログラマブルゲートアレイ（ＦＰＧＡ, field programmable gate array）、デジタルプロセッサ（ＤＳＰ, digital processor）、組込みデバイスなどにより構成される。コンピュータデバイスは、ネットワークデバイス及び／又はユーザ端末（装置）を含み、そのネットワークデバイスは特に限定されないが、例えば単一のネットワークサーバ、複数のネットワークサーバから構成されるサーバグループ、又はクラウドコンピューティングに基づいて相当数のホストマシン若しくはネットワークサーバから構成されるクラウドが含まれ、クラウドコンピューティングは一種の分散コンピューティングであり、クラウドは、疎結合されたコンピュータセットのグループから構成される仮想スーパーコンピュータである。ユーザ端末は特に限定されないが、キーボード、マウス、リモートコントローラ、タッチパネル、又は音響制御デバイスにより、ユーザとヒューマンマシンインタラクションを行うことができる、任意の種類の電子製品、例えば、パーソナルコンピュータ、タブレットコンピュータ、スマートフォン、ＰＤＡ、ゲームマシン、又はＩＰＴＶなどが含まれる。本明細書では、ユーザ端末及びネットワークデバイスが接続されるネットワークは特に限定されないが、例えばインターネット、ワイドエリアネットワーク、アーバンエリアネットワーク、ローカルエリアネットワーク、及びＶＰＮネットワークなどが含まれる。
【００１１】
好ましくは、本発明によるコンピュータデバイスは、ネットワークデバイスを備える。
【００１２】
ユーザ端末、ネットワークデバイス、及びネットワークは、一例にすぎず、他の既存又は近い将来に開発される可能性があるユーザ端末、ネットワークデバイス、及びネットワークもまた、本発明に適用することが可能な場合、本発明の権利範囲内に含まれるべきであり、参照により本明細書に組み込まれるようになることに留意されたい。
【００１３】
図１を参照すると、ステップＳ００１で、ユーザがウェブページにアクセスしたとき、ページ生成装置が、１又は２以上の提示されるべきキーワードの中から少なくとも１つのキーワードを決定する。
【００１４】
本明細書では、少なくとも１つのキーワードは、ユーザに対応する１又は２以上のユーザキーワードを含む。
【００１５】
本明細書では、ステップＳ１００（図示せず）をさらに備える。
【００１６】
ステップＳ１００において、ページ生成装置は、１又は２以上の提示されるべきキーワードを取得する。
【００１７】
具体的には、ページ生成装置は、ユーザのネットワークの利用履歴を解析して、ユーザに対応する１又は２以上のユーザキーワードを決定する。
【００１８】
本明細書では、少なくとも１つの提示されるべきキーワードは、ユーザに対応する１又は２以上のユーザキーワードを備える。
【００１９】
本明細書では、ネットワークの利用履歴は特に限定されないが、以下のうちのいずれか１つ、すなわち、
１）所定の期間内のユーザの以前（過去）の閲覧履歴、例えば、ユーザによって、検索エンジンクエリを通して取得及び閲覧された１又は２以上の検索結果ページのウェブページアドレス情報、並びに、別の例ではユーザによって記憶されたウェブページコンテンツ情報、
２）所定の期間内のユーザの以前の検索履歴、例えば、所定の期間内に１又は２以上の検索エンジンを用いて検索したとき、ユーザによって使用された検索ワードなど、
３）ユーザ選好を反映するプリセット情報、例えば、ユーザが、「スポーツ」、「映画」などを含む、自身の関心のある分野を事前に設定し、別の例ではユーザによって登録されたウェブサイトの関連情報などを含む。
【００２０】
本明細書では、ウェブページ生成装置が、ユーザのネットワークの利用履歴を解析して、ユーザに対応する１又は２以上のユーザキーワードを決定する方法は特に限定されないが、以下の方法のうちのいずれか１つを含む。すなわち、
１）所定の期間内のユーザの以前の検索履歴に基づいて、所定の期間内にユーザによって使用された１又は２以上の検索ワードを、ユーザに対応するユーザキーワードとして決定すること、
２）所定の期間内のユーザの以前の閲覧履歴に基づいて、ユーザに対応する１又は２以上のユーザキーワードを決定することであり、この方法は、具体的には以下、すなわち、
ｉ）所定の期間内にユーザによって閲覧された１又は２以上のウェブページのアドレス情報を決定し、決定されたアドレス情報から１又は２以上のワードを、ユーザに対応するユーザキーワードとして抽出すること、
ii）所定の期間内にユーザによって閲覧されたウェブページを決定し、ユーザによって閲覧されたウェブページのテキストを解析し、ユーザに対応するユーザキーワードとして使用されるべき、ウェブページに対応する１又は２以上のキーワードを取得することを含み、以前の閲覧履歴に関連するウェブページに対応するキーワードを取得する処理は、ページ生成装置が、ユーザによって現在アクセスされているウェブページを解析して、ウェブページに対応するウェブページキーワードを取得する後続の処理と同一又は同様であり、それについては、以下で詳細に説明するので、ここでは詳述しない、
３）ユーザの興味（関心）を反映するプリセット情報に基づいて、ユーザに対応する１又は２以上のユーザキーワードを決定することであり、この方法は、具体的には以下、すなわち、
ｉ）プリセット情報に含まれたワードを、ユーザに対応するユーザキーワードとして使用すること、
ii）ウェブページのフレームストラクチャに基づいて、対応するウェブページコンテンツ情報より抽出されたワードを、ウェブページキーワードとして使用することを含む。例えば、ページ生成装置が、ウェブページのタイトルの位置から抽出されたワードを、ウェブページのウェブページキーワードとして使用する。
【００２１】
好ましくは、ページ生成装置は、ユーザに対応するプライバシーアクセス権を取得し、それぞれのネットワーク利用履歴がアクセス可能であるかどうかを、プライバシーアクセス権に基づいて判定して、アクセス可能なネットワーク利用履歴に基づいて、対応するユーザキーワードを取得するようにする。
【００２２】
例えば、ページ生成装置が、クッキー中に記憶された、閲覧したウェブページアドレス情報にアクセスしたとき、ページ生成装置は、最初に、「クッキーへのアクセスを許可するかどうか」、プロンプト情報をユーザに送信し、ユーザによって選択された「許可」コマンドを受信すると、ページ生成装置は、ユーザのクッキーにアクセスして、対応するネットワークアドレス情報を取得する。別の例では、ページ生成装置が、クッキー中に記憶された、閲覧したウェブページアドレス情報と、ユーザによって使用された検索ワード情報とにアクセスしたとき、ページ生成装置は、ウェブページアドレス情報及び検索ワード情報のためにユーザによって事前に設定されたプライバシーレベルがそれぞれ「高」及び「低」であることを取得し（「高」は、取得されないようにユーザによって望まれる情報を示すためのものである）、次いで、ページ生成装置は、ウェブページアドレス情報を取得することなしに、クッキーにアクセスして、プライバシーレベル情報に基づいて、対応する検索ワード情報を取得する。
【００２３】
好ましくは、少なくとも１つのキーワードは、ウェブページに対応する１又は２以上のウェブページキーワードをさらに含み、ページ生成装置は、ウェブページを解析して、ウェブページに対応するウェブページキーワードを取得する。
【００２４】
本明細書では、ページ生成装置が、ウェブページに対応するウェブページキーワードを取得する方法は特に限定されないが、以下、すなわち、
１）所定のウェブページストラクチャ（構成）内のコンテンツ情報から抽出されたワードを、ウェブページキーワードとして使用すること。例えば、ページ生成装置が、ウェブページのタイトル内から抽出されたワードを、ウェブページのウェブページキーワードとして使用することになる、
２）ウェブページのテキストコンテンツ情報を取得し、テキストコンテンツ情報におけるテキスト解析を行い、それによって、ウェブページに対応するウェブページキーワードを取得することのうちのいずれか１つを含む。
【００２５】
好ましくは、ウェブページのテキストコンテンツ情報内のワードについて統計をとり、テキストコンテンツ情報内のワードに関連する統計情報が取得され、統計結果に基づくウェブページ内の重要なワードが、ウェブページキーワードとして使用される。例えば、用語頻度−逆文書頻度（ＴＦ−ＩＤＦ, term frequency-inverse document frequency）を通して、ウェブページのテキストコンテンツについて統計をとり、ウェブページのウェブページキーワードが決定される。別の例では、ウェブページキーワードが、ワードの長さ、コンテキスト、キーワードのタイプ、及びワードの他の意味特徴について統計をとることによって、決定される。より好ましくは、ページ生成装置は、取得されたテキストコンテンツ情報に対応する複数のキーワードの中から、最も検索頻度の高い１又は２以上のキーワードを、ウェブページキーワードとして選択する。
【００２６】
好ましくは、少なくとも１つのキーワードは、１又は２以上のホットキーワードをさらに含み、ページ生成装置は、検索エンジンから検索に関連する情報を取得し、検索に関連する情報に基づいて、１又は２以上のホットキーワードを決定する。
【００２７】
本明細書では、検索に関連する情報は特に限定されないが、以下、すなわち、
１）所定の時間内に検索エンジンによって受信された複数のキーワード、
２）受信された検索ワードの一部又は全部に基づいて、検索エンジンによって取得された、結果として得られたウェブページ情報を含む。
【００２８】
好ましくは、ページ生成装置は、検索エンジンにおいて最も検索頻度の高い検索に関連する情報のうちの１又は２以上を、ホットキーワードとして使用する。
【００２９】
ユーザがウェブページにアクセスしたとき、ページ生成装置は、ユーザに対応するユーザキーワードと、ウェブページに対応するウェブページキーワードと、ホットキーワードとを、それらをユーザに提示するために、同時に取得し得ることに留意されたい。
【００３０】
本発明の第１の例によれば、ページ生成装置によって取得されたユーザＡのネットワーク利用履歴は、最近１週間以内にユーザＡによって閲覧されたウェブページコンテンツ情報、並びに、その期間内に検索エンジンで検索を実行するとき、ユーザＡによって使用された複数の検索ワード「浄水器」及び「ミニゲーム」を含む。次に、ページ生成装置は、その複数の検索ワードを、ユーザＡに対応するユーザキーワードとして使用し、さらに、ユーザＡによって閲覧された複数のウェブページのアドレス情報から、ユーザキーワード「英語学習」及び「バスケットボールニュース」を取得し、次いで、ページ生成装置は、合計４つのユーザキーワード、すなわち、「浄水器」、「ミニゲーム」、「英語学習」及び「バスケットボールニュース」を取得する。さらに、ページ生成装置は、検索エンジンにおいて最も検索頻度の高い検索ワード「摂生」及び「体重減少」を、ホットキーワードとして使用する。次いで、ユーザＡが、ウェブページであるページ＿１にアクセスしたとき、ページ生成装置は、ウェブページであるページ＿１のテキストコンテンツ情報を取得し、ワードの重み値をＴＦ−ＩＤＦアルゴリズムに基づいて計算し、重み値の最も高い最初の３つのワード、すなわち、「中古車」、「中古車取引」、及び「中古車市場」を抽出する。次に、ページ生成装置は、その中で最も検索頻度の高い「中古車」を、ウェブページであるページ＿１に対応するウェブページキーワードとして選択する。
【００３１】
上記の例は、本発明を限定するものではなく、本発明の技術的解決策をよりよく例示するためのものにすぎないことに留意されたい。１又は２以上の提示されるべきキーワードを取得するいかなる実現方法も、本発明の範囲内に含まれるべきであることを、当業者には理解されたい。
【００３２】
本明細書において、ページ生成装置が、１又は２以上の提示されるべきキーワードの中から少なくとも１つのキーワードを決定する方法は特に限定されないが、以下のうちの少なくともいずれか１つを含む。すなわち、
１）ページ生成装置が、１又は２以上の提示されるべきキーワードの中から少なくとも１つのキーワードをランダムに選択する。
２）ページ生成装置が、１又は２以上の提示されるべきキーワードからユーザキーワードを優先して選択し、ユーザキーワードの数が所定の数の閾値に達しない場合、ページ生成装置が、ウェブページキーワード及びホットキーワードから、提示される必要のある残りのキーワードをランダムに選択し続ける。
３）ページ生成装置が、ウェブページのカテゴリ情報を取得し、ウェブページのカテゴリ情報に基づいて、１又は２以上の提示されるべきキーワードの中から、１又は２以上のキーワードを選択する。
【００３３】
具体的には、ページ生成装置は、ウェブページのカテゴリ情報に基づいて、少なくとも１つのキーワードのそれぞれの提示優先度（表示優先度）を決定して、ウェブページ内で提示されるべき、少なくとも１つのキーワードの中から１又は２以上のキーワードを選択するようにする。
【００３４】
好ましくは、ページ生成装置は、ウェブページのカテゴリ関連情報を取得して、カテゴリ関連情報に基づいてウェブページのカテゴリ情報を決定するようにし、カテゴリ関連情報は、ウェブページのカテゴリを決定するために使用される、ウェブページに関連する様々な情報、例えば、ウェブページのコード情報、別の例ではウェブページのテキストコンテンツ情報などを含む。
【００３５】
より好ましくは、ウェブページのカテゴリ情報は、以下のうちの少なくともいずれか１つを含む。すなわち、
１）テキストカテゴリであり、例えば、ウェブページのコード内に所定のテキスト本文の構成を有するウェブページをテキストカテゴリのウェブページとして使用し、別の例では、ウェブページ内のテキストのワード数をカウントし、そのワード数がある閾値に達するウェブページを、テキストカテゴリのウェブページとして識別する、
２）マルチメディアカテゴリであり、例えば、その量が閾値を超える、画像、オーディオ及びビデオなどのマルチメディアファイルを含むウェブページを、マルチメディアカテゴリのウェブページとして使用する。
【００３６】
より好ましくは、ウェブページは、テキストカテゴリとマルチメディアカテゴリの両方に属してもよい。好ましくは、テキストカテゴリのウェブページでは、ページ生成装置は、ウェブページキーワードの優先度がユーザキーワードの優先度よりも高いと判定し、マルチメディアカテゴリのウェブページでは、ページ生成装置は、ユーザキーワードの優先度がウェブページキーワードの優先度よりも高いと判定する。
【００３７】
好ましくは、ウェブページキーワードの優先度がユーザキーワードの優先度よりも高いとき、ページ生成装置は、なお、ユーザに提示するために、ユーザキーワードの一部を選択することになる。
【００３８】
ステップＳ００１とステップＳ１００との間に実行タイミングの順序はなく、ページ生成装置は、最初にステップＳ００１、次にステップＳ１００を実行してもよく、又は、最初にステップＳ１００、次にステップＳ００１を実行してもよく、またステップＳ００１とステップＳ１００を同時に実行してもよいことに留意されたい。好ましくは、ページ生成装置は、最初にステップＳ１００を部分的に実行し、次にステップＳ００１を実行してもよい。例えば、ステップＳ１００で、ユーザキーワードとホットキーワードとを取得する操作を最初に実行し、次にステップＳ００１の実行を開始するとき、ステップＳ００１でユーザによってアクセスされる必要のある（可能性のある）ウェブページに基づいて、ステップＳ１００でウェブページのウェブページキーワードを取得する操作を実行し続ける。
【００３９】
上記の第１の例の例示を続けると、ウェブページは、テキストウェブページ及びマルチメディアウェブページに分類することができ、提示される必要のあるキーワードの所定の数を、５個とする。ページ生成装置によって取得された、提示されるべきキーワードは、ユーザキーワード「浄水器」、「ミニゲーム」、「英語学習」及び「バスケットボールニュース」と、ホットキーワード「摂生」及び「体重減少」と、ウェブページキーワード「中古車」とを含み、さらに、ページ生成装置は、ウェブページであるページ＿１のウェブページコード情報を取得し、コード情報に基づいて、ウェブページであるページ＿１のコンテンツが文字のみを含むことを知り、次いで、ページ生成装置は、ウェブページであるページ＿１がテキストカテゴリウェブページであると判定する。次いで、ページ生成装置は、ウェブページキーワード「中古車」を優先して選択し、残りのユーザキーワード、すなわち、「浄水器」、「ミニゲーム」、「英語学習」、「バスケットボールニュース」、及びホットキーワード「摂生」、「体重減少」の中から、後者の４つのキーワードを提示のためにランダムに選択し、それらを「浄水器」、「ミニゲーム」、「摂生」及び「バスケットボールニュース」とする。
【００４０】
上記の例は、本発明を限定するものではなく、本発明の技術的解決策のよりよい例示のためのものにすぎないことに留意されたい。ウェブページのカテゴリ情報に基づいて、少なくとも１つのキーワードのそれぞれの提示優先度を決定して、１又は２以上のキーワードを選択するようにするいかなる実現方法も、本発明の権利範囲内に含まれるべきであることを、当業者には理解されたい。
【００４１】
次に、ステップＳ００２で、ページ生成装置が、アクセスされたウェブページ内で、少なくとも１つのキーワードを提示する。
【００４２】
具体的には、ページ生成装置は、所定のキーワード提示形式（パターン）と、アクセスされたウェブページの元のウェブページ情報とに基づいて、少なくとも１つのキーワードを含むウェブページを、ユーザに提示されるように生成する。
【００４３】
上記の第１の例の例示を続ける。ページ生成装置は、ステップＳ００１において、提示のための５個のキーワードが「中古車」、「浄水器」、「ミニゲーム」、「摂生」及び「バスケットボールニュース」を含むと決定する。次いで、ページ生成装置は、ウェブページであるページ＿１の元のウェブページコードと所定のリンク提示形式とに基づいて、ウェブページであるページ＿１の元のウェブページコード内に、ページの下部に提示するために、上記の５個のキーワードに対応するリンクのコードを追加し、それによって５個のキーワードのリンクを含む新しいウェブページであるページ＿１を取得し、それをユーザに提示する。
【００４４】
上記の例は、本発明の技術的解決策をよりよく例示するためのものにすぎず、本発明を限定するものではないことに留意されたい。アクセスされたウェブページ内で少なくとも１つのキーワードを提示するいかなる実現方法も、本発明の範囲内に含まれるべきであることを、当業者には理解されたい。
【００４５】
次に、ステップＳ００３で、ページ生成装置が、前記少なくとも１つのキーワードに対するユーザの選択操作を取得して、ユーザの選択操作に基づいて、ユーザによって選択された、選択キーワードを決定する。
【００４６】
例えば、ページ生成装置は、キーワードを提示するウェブページ内でユーザによってクリックされたキーワードを、選択キーワード（選択されたキーワード）として使用する。別の例では、ページ生成装置は、キーワードを提示するウェブページ内のキーワード上で、マウスを使用して行われたユーザのホバリング操作を取得し、その上でマウスのホバリング時間が所定の時間の長さを超えるキーワードを選択する。
【００４７】
次に、ステップＳ００４で、ページ生成装置が、選択キーワードに対応する推奨ページを生成して、それをユーザに提示する。
【００４８】
本明細書では、推奨ページは、選択キーワードに関連付けられたキーワード推奨情報のうちの少なくとも１つを含む。好ましくは、キーワード推奨情報は、キーワードに関連する広告情報を含む。
【００４９】
本明細書では、ステップＳ００５（図示せず）をさらに備え、ステップＳ００４は、ステップＳ００４１（図示せず）をさらに備える。
【００５０】
ステップＳ００５で、ページ生成装置が、推奨ページのための推奨情報のうちの少なくとも１つを取得する。
【００５１】
具体的には、ページ生成装置は、選択キーワードに基づいて検索を実行し、推奨ページを生成するための推奨情報のうちの少なくとも１つを取得するようにする。
【００５２】
好ましくは、ページ生成装置は、選択キーワードを拡張する。例えば、キーワード拡張ツールを使用して、代替キーワードを取得し、代替キーワードに関連する複数のキーワードに拡張する。次に、ページ生成装置は、選択キーワードの拡張結果に基づいて検索を実行し、拡張結果に対応する推奨情報をキーワード推奨情報として使用する。
【００５３】
次に、ステップＳ００４１で、ページ生成装置が、所定の推奨ページパターンと、取得された推奨情報のうちの少なくとも１つとに基づいて、選択キーワードに対応する推奨ページを生成し、少なくとも１つの推奨ページは、選択キーワードに関連付けられたキーワード推奨情報のうちの少なくとも１つを含む。
【００５４】
第１の例の例示を続ける。ページ生成装置は、ステップＳ００３で、キーワードを提示するページ＿１上で、ユーザＡがキーワード「中古車」のリンクをクリックしたことを取得し、次いで、ページ生成装置は、「中古車」を、選択キーワードとして使用する。次に、ページ生成装置は、「中古車（second-hand vehicles）」及び「車（vehicle）」を含む、「中古車（second-hand vehicle）」の拡張結果を取得する。次いで、ページ生成装置は、検索エンジンにおいて「中古車（second-hand vehicles）」及び「車（vehicle）」を検索し、「中古車（second-hand vehicles）」に対応する１０個の広告情報と、「車（vehicle）」に対応する２０個の広告情報とを、キーワード推奨情報として取得する。次に、ページ生成装置は、所定の推奨ページテンプレートと、結果として得られた３０個の広告情報とに基づいて、推奨ページを生成する。
【００５５】
上記の例は、本発明を限定するものではなく、本発明の技術的解決策をよりよく例示するためのものにすぎないことに留意されたい。選択キーワードに基づいて検索を実行し、キーワード推奨情報のうちの少なくとも１つを取得し、キーワード推奨情報のうちの少なくとも１つに基づいて、推奨ページを生成する、いかなる実現方法も、本発明の範囲内に含まれるべきであることを当業者には理解されたい。
【００５６】
好ましくは、推奨情報のうちの少なくとも１つは、ユーザに関連付けられたユーザ推奨情報のうちの少なくとも１つをさらに含む。方法は、ステップＳ００６（図示せず）をさらに備え、ステップＳ００４は、ステップＳ００４２（図示せず）をさらに備える。
【００５７】
ステップＳ００６で、ページ生成装置は、ユーザのネットワーク利用履歴を解析して、ユーザに対応するユーザ推奨情報のうちの少なくとも１つを決定する。
【００５８】
本明細書では、ページ生成装置が、ユーザのネットワーク利用履歴を解析して、ユーザに対応するユーザ推奨情報のうちの少なくとも１つを決定する方法は特に限定されないが、以下のうちのいずれか１つを含む。すなわち、
１）ページ生成装置が、所定の期間内のユーザの以前の検索履歴を取得し、次いで、所定の期間内にユーザによって使用された１又は２以上の検索ワードに基づいて、検索を実行し、関連推奨情報を、ユーザに対応するユーザ推奨情報として使用する。
２）ページ生成装置が、所定の期間内のユーザの以前の閲覧履歴に基づいて、ユーザに対応するユーザ推奨情報のうちの少なくとも１つを決定し、この方法は、具体的には以下を含む。すなわち、
ｉ）ページ生成装置が、所定の期間内にユーザによって閲覧された１又は２以上のウェブページのアドレス情報を取得し、次に、アドレス情報に基づいて検索を実行し、対応する推奨情報を、ユーザに対応するユーザ推奨情報として使用する。
ii）ページ生成装置が、所定の期間内にユーザによって閲覧されたウェブページのコンテンツを取得し、ユーザによって現在アクセスされているウェブページを解析して、ウェブページに対応するウェブページキーワードを取得する方法と同一又は同様である方法で、ウェブページに対応する１又は２以上のトピックワードを取得するようにする。次に、ページ生成装置が、１又は２以上のトピックワードに基づいて検索を実行し、対応する推奨情報を、ユーザに対応するユーザ推奨情報として使用する。
３）ページ生成装置が、ユーザが興味（関心）を示すプリセット情報に基づいて、ユーザに対応するユーザ推奨情報のうちの少なくとも１つを決定し、この方法は、具体的には以下を含む。すなわち、
ｉ）ページ生成装置が、プリセット情報に基づいて検索を実行し、対応する推奨情報を、ユーザに対応するユーザ推奨情報として使用する、
ii）ページ生成装置が、プリセット情報に基づいて、プリセット情報に関連付けられたウェブページを取得し、ページ生成装置によって実行された、現在アクセスされているウェブページの解析を通して、ウェブページに対応するウェブページキーワードを取得する方法と同一又は同様の方法で、関連ウェブページに対応する１又は２以上のトピックワードを取得し、次に、ページ生成装置が、１又は２以上のトピックワードに基づいて検索を実行し、対応する推奨情報を、ユーザに対応するユーザ推奨情報として使用する。
【００５９】
好ましくは、ページ生成装置は、ユーザに対応するプライバシーアクセス権を取得し、それぞれのネットワーク利用履歴がアクセス可能であるかどうかを、プライバシーアクセス権に基づいて判定して、アクセス可能なネットワーク利用履歴に基づいて、対応するユーザ推奨情報を取得するようにする。
【００６０】
次に、ステップＳ００４２で、ページ生成装置が、キーワード推奨情報のうちの少なくとも１つと、決定されたユーザ推奨情報のうちの少なくとも１つとに基づいて、推奨ページを生成して、推奨ページをユーザに提示する。
【００６１】
上記の第１の例の例示を続ける。ページ生成装置は、半月以内にユーザＡによってこれまでに使用された検索ワードが、「浄水器」及び「ミニゲーム」を含むことを取得し、次いで、ページ生成装置は、検索エンジンにおいて「浄水器」及び「ミニゲーム」を検索し、「浄水器」及び「ミニゲーム」に対応する１６個の広告情報を、ユーザＡに対応するユーザ推奨情報として生じる。次に、ページ生成装置は、取得された、「中古車」及び「車」に対応する３０個の広告情報と、「浄水器」及び「ミニゲーム」に対応する１６個の広告情報とに基づいて、推奨ページを生成して、４６個の広告情報をユーザＡに提示する。
【００６２】
上記の例は、本発明を限定するものではなく、本発明の技術的解決策をよりよく例示するためのものにすぎないことに留意されたい。ユーザのネットワーク利用履歴を解析して、ユーザに対応するユーザ推奨情報のうちの少なくとも１つを決定し、キーワード推奨情報のうちの少なくとも１つと、決定されたユーザ推奨情報のうちの少なくとも１つとに基づいて、推奨ページを生成する、いかなる実現方法も、本発明の範囲内に入るべきであることを、当業者には理解されたい。
【００６３】
好ましくは、推奨情報のうちの少なくとも１つは、ホット推奨情報のうちの少なくとも１つをさらに備え、ページ生成装置は、検索エンジンからホット推奨情報のうちの１又は２以上をさらに取得し、さらに、ページ生成装置は、キーワード推奨情報のうちの少なくとも１つと、決定されたホット推奨情報のうちの少なくとも１つとに基づいて、推奨ページを生成して、推奨ページをユーザに提示する。
【００６４】
本明細書において、ページ生成装置が検索エンジンからホット推奨情報のうちの１又は２以上を取得する方法は特に限定されないが、以下のうちのいずれか１つを含む。すなわち、
１）ページ生成装置が、最初に検索エンジンから１又は２以上のホットキーワードを取得し、ホットキーワードに基づいて、さらなる検索を実行し、それぞれのホットキーワードに対応するホット推奨情報を取得するようにする。
【００６５】
本明細書では、ページ生成装置がホットキーワードを取得する方法は、上記のステップＳ１００と同一又は同様であり、したがって、それについては詳述しない。
【００６６】
２）ページ生成装置が、検索エンジンにおいて最も検索される１又は２以上のウェブページを、ホット推奨情報として使用する。
【００６７】
上記の第１の例の例示を続ける。ページ生成装置によって取得されたホットキーワードは、「教育」及び「子供たち」をさらに備え、次いで、ページ生成装置は、検索エンジンにおいて「教育」及び「子供たち」を検索し、「教育」及び「子供たち」に対応する１４個の広告情報を、ホット推奨情報として取得する。次に、ページ生成装置は、生じた「中古車」及び「車」に関連付けられた３０個の広告情報と、「教育」及び「子供たち」に関連付けられた１４個の広告情報とに基づいて、推奨ページを生成して、４４個の広告情報をユーザＡに提示するように推奨ページを生成する。
【００６８】
本発明の解決策によれば、検索エンジンにおけるホットな情報とともに、ユーザのネットワーク利用履歴及びアクセスされたウェブページを解析することによって、ユーザが関心を示す、ウェブページコンテンツを示す、及びホットなコンテンツを示すキーワードが取得されて、決定されたキーワードをウェブページ内でユーザに対して提示するようにし、ユーザがアクセス可能なページ内で複数のソースからのキーワードを調べることができるようにし、それによって、ユーザが自分の最も関心のあるキーワードを見つける可能性を高め、それによって、キーワード推奨の正確さを向上させ、また、ユーザによって選択されたキーワードに基づいて、並びに、ユーザのネットワーク利用履歴及び検索エンジンにおけるホットな情報とともに、ユーザによって選択されたキーワードに関連付けられた推奨情報、及び、ユーザの関心とホットな情報とに関連付けられた推奨情報が取得されて、取得された推奨情報を生成された推奨ページ内で提示するようにし、ユーザがキーワードのリンクをクリックした後、選択キーワードに関連付けられた推奨情報、及び、ユーザの関心とホットな情報とに関連付けられた推奨情報を、ユーザに提示することができるようにし、推奨情報のコンテンツがより豊富になるようにする。
【００６９】
図２は、本発明による推奨ページを生成するためのページ生成装置の構成を示す概略ブロック図である。本発明によるページ生成装置は、第１の決定デバイス００１と、提示デバイス００２と、第１の取得デバイス００３と、生成デバイス００４とを備える。
【００７０】
図２を参照すると、ユーザがウェブページにアクセスしたとき、第１の決定デバイス００１は、１又は２以上の提示されるべきキーワードの中から少なくとも１つのキーワードを決定する。
【００７１】
本明細書では、少なくとも１つのキーワードは、ユーザに対応する１又は２以上のユーザキーワードを含む。
【００７２】
本明細書では、第１の決定デバイス００１は、第２の取得デバイス（図示せず）をさらに備え、第２の取得デバイスは、第１の解析デバイス（図示せず）をさらに備える。
【００７３】
本明細書では、第２の取得デバイスは、１又は２以上の提示されるべきキーワードを取得する。
【００７４】
具体的には、第１の解析デバイスは、ユーザのネットワーク利用履歴を解析して、ユーザに対応する１又は２以上のユーザキーワードを決定する。
【００７５】
本明細書では、少なくとも１つの提示されるべきキーワードは、ユーザに対応する１又は２以上のユーザキーワードを備える。
【００７６】
本明細書では、ネットワーク利用履歴は特に限定されないが、以下、すなわち、
１）所定の期間内のユーザの以前の閲覧履歴、例えば、ユーザによって、検索エンジンクエリを通して取得及び閲覧された１又は２以上の検索結果ページのウェブページアドレス情報、並びに、別の例では、ユーザによって記憶されたウェブページコンテンツ情報、
２）所定の期間内のユーザの以前の検索履歴、例えば、所定の期間内に１又は２以上の検索エンジンを通して検索されたとき、ユーザによって使用された検索ワードなど、
３）ユーザ選好を反映するプリセット情報、例えば、ユーザが、「スポーツ」、「映画」などを含む自分の関心のある分野を事前に設定し、別の例では、ユーザによって登録されたウェブサイトの関連情報などのうちのいずれか１つを含む。
【００７７】
本明細書では、第１の解析デバイスが、ユーザのネットワーク利用履歴を解析して、ユーザに対応する１又は２以上のユーザキーワードを決定する方法は特に限定されないが、以下の方法のうちのいずれか１つを含む。すなわち、
１）所定の期間内のユーザの以前の検索履歴に基づいて、所定の期間内にユーザによって使用された１又は２以上の検索ワードを、ユーザに対応するユーザキーワードとして使用すること、
２）所定の期間内のユーザの以前の閲覧履歴に基づいて、ユーザに対応する１又は２以上のユーザキーワードを決定することであり、この方法は具体的には以下、すなわち、
ｉ）所定の期間内にユーザによって閲覧された１又は２以上のウェブページのアドレス情報を決定し、決定されたアドレス情報から１又は２以上のワードを、ユーザに対応するユーザキーワードとして抽出すること、
ii）所定の期間内にユーザによって閲覧されたウェブページを決定し、ユーザによって閲覧されたウェブページのテキスト解析を実行し、ユーザに対応するユーザキーワードとして使用されるべき、ウェブページに対応する１又は２以上のキーワードを取得するようにすることを含み、以前の閲覧履歴に関連するウェブページに対応するキーワードを取得する処理は、第２の解析デバイス（図示せず）が、ユーザによって現在アクセスされているウェブページを解析して、ウェブページに対応するウェブページキーワードを取得する後続の処理と同一又は同様であり、それについては、以下で詳細に説明するので、ここでは詳述しない、
３）ユーザの興味（関心）を反映するプリセット情報に基づいて、ユーザに対応する１又は２以上のユーザキーワードを決定することであり、この方法は、具体的には以下、すなわち、
ｉ）プリセット情報内に含まれたワード（文字）を、ユーザに対応するユーザキーワードとして使用すること、
ii）ウェブページのフレームストラクチャに基づいて、対応するウェブページコンテンツ情報内で抽出されたワードを、ウェブページキーワードとして使用することを含む。例えば、第１の解析デバイスが、ウェブページのタイトルの位置から抽出されたワードを、ウェブページのウェブページキーワードとして使用する。
【００７８】
好ましくは、第１の解析デバイスは、ユーザに対応するプライバシーアクセス権を取得し、それぞれのネットワーク利用履歴がアクセス可能であるかどうかを、プライバシーアクセス権に基づいて判定して、アクセス可能なネットワーク利用履歴に基づいて、対応するユーザキーワードを取得するようにする。
【００７９】
例えば、第１の解析デバイスが、クッキー中に記憶された、閲覧したウェブページアドレス情報にアクセスしたとき、第１の解析デバイスは、最初に、「クッキーへのアクセスを許可するかどうか」、プロンプト情報をユーザへ送信し、ユーザによって選択された「許可」コマンドを受信したとき、第１の解析デバイスは、ユーザのクッキーにアクセスして、対応するネットワークアドレス情報を取得する。別の例では、第１の解析デバイスが、クッキー中に記憶された、閲覧したウェブページアドレス情報と、ユーザによって使用された検索ワード情報とにアクセスしたとき、ページ生成装置は、ユーザによって事前に設定されたプライバシーレベルより、ウェブページアドレス情報のプライバシーレベルが「高（「高」は、取得されないようにユーザによって望まれる情報を示すためのものである）」で、検索ワード情報のプライバシーレベルが「低」であることを取得し、次いで、ページ生成装置は、ウェブページアドレス情報を取得することなしに、クッキーにアクセスして、プライバシーレベル情報に基づいて、対応する検索ワード情報を取得する。
【００８０】
好ましくは、第２の取得デバイスは、第２の解析デバイスをさらに備え、少なくとも１つのキーワードは、ウェブページに対応する１又は２以上のウェブページキーワードをさらに含み、第２の解析デバイスは、ウェブページを解析して、ウェブページに対応するウェブページキーワードを取得する。
【００８１】
本明細書では、第２の解析デバイスが、ウェブページに対応するウェブページキーワードを取得する方法は特に限定されないが、以下のうちのいずれか１つを含む。すなわち、
１）第２の解析デバイスが、所定のウェブページストラクチャ（構成）内のコンテンツ情報から抽出されたワードを、ウェブページキーワードとして使用する。例えば、第２の解析デバイスが、ウェブページのタイトル内から抽出されたワードを、ウェブページのウェブページキーワードとして使用することになる、
２）第２の解析デバイスが、ウェブページのテキストコンテンツ情報を取得し、テキストコンテンツ情報におけるテキスト解析を行い、それによってウェブページに対応するウェブページキーワードを取得する。
【００８２】
好ましくは、ウェブページのテキストコンテンツ情報内のワードについて統計をとり、テキストコンテンツ情報内のワードに関連する統計情報が取得され、統計結果に基づくウェブページ内の重要なワードが、ウェブページキーワードとして使用される。例えば、ＴＦ−ＩＤＦ（用語頻度−逆文書頻度）を通して、ウェブページのテキストコンテンツについて統計がとられ、ウェブページのウェブページキーワードが決定される。別の例では、ウェブページキーワードが、ワードの長さ、コンテキスト、キーワードのタイプ、及びワードの他の意味特徴について統計をとることによって、決定される。より好ましくは、ページ生成装置は、取得されたテキストコンテンツ情報に対応する複数のキーワードの中から、最も検索頻度の高い１又は２以上のキーワードを、ウェブページキーワードとして選択する。
【００８３】
好ましくは、第２の取得デバイスは、検索（クエリ）取得デバイス（図示せず）と、第２の決定デバイス（図示せず）とをさらに備える。少なくとも１つのキーワードは、１又は２以上のホットキーワードをさらに含む。ただし、検索取得デバイスは、検索エンジンから検索関連情報（クエリ関係情報）を取得し、第２の決定デバイスは、検索関連情報に基づいて、１又は２以上のホットキーワードを決定する。
【００８４】
本明細書では、検索関連情報は特に限定はされないが以下、すなわち、
１）所定の時間内に検索エンジンによって受信（取得）された複数のキーワード、
２）受信された検索ワードの一部又は全部に基づいて、検索エンジンによって取得された、結果として得られたウェブページ情報を含む。
【００８５】
好ましくは、第２の決定デバイスは、検索エンジンにおいて最も検索頻度の高い検索関連情報のうちの１又は２以上を、ホットキーワードとして使用する。
【００８６】
ユーザがウェブページにアクセスしたとき、第２の取得デバイスは、ユーザに対応するユーザキーワードと、ウェブページに対応するウェブページキーワードと、ホットキーワードとを、それらをユーザに提示するために、同時に取得し得ることに留意されたい。
【００８７】
本発明の第１の例によれば、第１の解析デバイスによって取得されたユーザＡのネットワーク利用履歴は、最近１週間以内にユーザＡによって閲覧されたウェブページコンテンツ情報、並びに、その期間内に検索エンジンで検索を実行するとき、ユーザＡによって使用された複数の検索ワード「浄水器」及び「ミニゲーム」を含む。次に、第１の解析デバイスは、その複数の検索ワードを、ユーザＡに対応するユーザキーワードとして使用し、さらに、ユーザＡによって閲覧された複数のウェブページのアドレス情報から、ユーザキーワード「英語学習」及び「バスケットボールニュース」を取得し、次いで、第１の解析デバイスは、合計４つのユーザキーワード、すなわち、「浄水器」、「ミニゲーム」、「英語学習」及び「バスケットボールニュース」を取得する。さらに、第２の決定デバイスは、検索エンジンにおいて最も検索頻度の高い検索ワード「摂生」及び「体重減少」を、ホットキーワードとして使用する。次いで、ユーザＡが、ウェブページであるページ＿１にアクセスしたとき、第２の解析デバイスは、ウェブページであるページ＿１のテキストコンテンツ情報を取得し、ワードの重み値をＴＦ−ＩＤＦアルゴリズムに基づいて計算し、重み値の最も高い最初の３つのワード、すなわち、「中古車」、「中古車取引」、及び「中古車市場」を抽出する。次に、第２の解析デバイスは、その中で最も検索頻度の高い「中古車」を、ウェブページであるページ＿１に対応するウェブページキーワードとして選択する。
【００８８】
上記の例は、本発明を限定するのではなく、本発明の技術的解決策をよりよく例示するためのものにすぎないことに留意されたい。１又は２以上の提示されるべきキーワードを取得するいかなる実現方法も、本発明の範囲内に含まれるべきであることを、当業者には理解されたい。
【００８９】
本明細書において、第１の決定デバイス００１が、１又は２以上の提示されるべきキーワードの中から少なくとも１つのキーワードを決定する方法は特に限定されないが、以下のうちの少なくともいずれか１つを含む。すなわち、
１）第１の決定デバイス００１が、１又は２以上の提示されるべきキーワードの中から少なくとも１つのキーワードをランダムに選択する。
２）第１の決定デバイス００１が、１又は２以上の提示されるべきキーワードからユーザキーワードを優先して選択し、ユーザキーワードの数が所定の数の閾値に達しない場合、第１の決定デバイス００１が、ウェブページキーワード及びホットキーワードから、提示される必要のある残りのキーワードをランダムに選択し続ける。
３）本発明によるページ生成装置が、カテゴリ取得デバイス（図示せず）をさらに備え、第１の決定デバイス００１が、選択デバイス（図示せず）をさらに備える。本明細書では、カテゴリ取得デバイスが、ウェブページのカテゴリ情報を取得し、選択デバイスが、ウェブページのカテゴリ情報に基づいて、１又は２以上の提示されるべきキーワードの中から、１又は２以上のキーワードを選択する。
【００９０】
具体的には、選択デバイスは、ウェブページのカテゴリ情報に基づいて、少なくとも１つのキーワードのそれぞれの提示優先度を決定して、ウェブページ内で提示されるべき、少なくとも１つのキーワードの中から１又は２以上のキーワードを選択するようにする。
【００９１】
好ましくは、カテゴリ取得デバイスは、ウェブページのカテゴリ関連情報を取得して、カテゴリ関連情報に基づいてウェブページのカテゴリ情報を決定するようにし、カテゴリ関連情報は、ウェブページのカテゴリを決定するために使用される、ウェブページに関連する様々な情報、例えば、ウェブページのコード情報、別の例では、ウェブページのテキストコンテンツ情報などを含む。
【００９２】
より好ましくは、ウェブページのカテゴリ情報は、以下のうちの少なくともいずれか１つを含む。すなわち、
１）テキストカテゴリであり、例えば、ウェブページのコード内に所定のテキスト本文の構成を有するウェブページを、テキストカテゴリのウェブページとして使用し、別の例では、ウェブページ内のテキストのワード数をカウントし、そのワード数がある閾値に達するウェブページを、テキストカテゴリのウェブページとして識別する、
２）マルチメディアカテゴリであり、例えば、その量がある閾値を超える、画像、オーディオ及びビデオなどのマルチメディアファイルを含むウェブページを、マルチメディアカテゴリのウェブページとして使用する。
【００９３】
より好ましくは、ウェブページは、テキストカテゴリとマルチメディアカテゴリの両方に属してもよい。好ましくは、テキストカテゴリのウェブページでは、選択デバイスは、ウェブページキーワードの優先度がユーザキーワードの優先度よりも高いと判定し、マルチメディアカテゴリのウェブページでは、選択デバイスは、ユーザキーワードの優先度がウェブページキーワードの優先度よりも高いと判定する。
【００９４】
好ましくは、ウェブページキーワードの優先度がユーザキーワードの優先度よりも高いとき、選択デバイスは、なお、ユーザに提示するために、ユーザキーワードの一部を選択することになる。
【００９５】
第１の決定デバイスが少なくとも１つのキーワードを決定するための操作と、第２の取得デバイスが１又は２以上の提示されるべきキーワードを取得するための操作との間に操作タイミングの順序はなく、第１の決定デバイスが少なくとも１つのキーワードを決定するための操作が最初に実行されてもよく、又は、第２の取得デバイスが１若しくは２以上の提示されるべきキーワードを取得するための操作、又は両方の操作が同時に実行されてもよいことに留意されたい。好ましくは、第２の取得デバイスは、１又は２以上の提示されるべきキーワードのうちの一部を最初に取得することができ、次に第１の決定デバイスが、少なくとも１つのキーワードを決定する。例えば、第２の取得デバイスは、ユーザキーワードとホットキーワードとを取得する操作を最初に実行し、次に第１の決定デバイスが操作を開始するとき、ユーザによってアクセスされる必要のある（可能性のある）ウェブページに基づいて、第２の取得デバイスは、ウェブページのウェブページキーワードを取得する操作を実行し続ける。
【００９６】
上記の第１の例の例示を続けると、ウェブページは、テキストウェブページ及びマルチメディアウェブページに分類することができ、提示される必要のあるキーワードの所定の数を、５個とする。第２の取得デバイスによって取得された、提示されるべきキーワードは、ユーザキーワード「浄水器」、「ミニゲーム」、「英語学習」及び「バスケットボールニュース」と、ホットキーワード「摂生」及び「体重減少」と、ウェブページキーワード「中古車」とを含み、さらに、カテゴリ取得デバイスは、ウェブページであるページ＿１のウェブページコード情報を取得し、コード情報に基づいて、ウェブページであるページ＿１のコンテンツが文字のみを含むことを知り、次いで、カテゴリ取得デバイスは、ウェブページであるページ＿１がテキストカテゴリウェブページであると判定する。次いで、選択デバイスは、ウェブページキーワード「中古車」を優先して選択し、残りのユーザキーワード、すなわち、「浄水器」、「ミニゲーム」、「英語学習」、「バスケットボールニュース」、及びホットキーワード「摂生」、「体重減少」の中から、後者の４つのキーワードを提示のためにランダムに選択し、それらを「浄水器」、「ミニゲーム」、「摂生」及び「バスケットボールニュース」とする。
【００９７】
上記の例は、本発明を限定するものではなく、本発明の技術的解決策のよりよい例示のためのものにすぎないことに留意されたい。ウェブページのカテゴリ情報に基づいて、少なくとも１つのキーワードのそれぞれの提示優先度を決定して、１又は２以上のキーワードを選択するようにするいかなる実現方法も、本発明の権利範囲内に含まれるべきであることを、当業者には理解されたい。
【００９８】
次に、提示デバイス００２は、アクセスされたウェブページ内で、少なくとも１つのキーワードを提示する。
【００９９】
具体的には、提示デバイス００２は、所定のキーワード提示形式（パターン）と、アクセスされたウェブページの元のウェブページ情報とに基づいて、少なくとも１つのキーワードを含むウェブページを、ユーザに提示されるように生成する。
【０１００】
上記の第１の例の例示を続ける。第１の決定デバイス００１は、提示のための５個のキーワードが「中古車」、「浄水器」、「ミニゲーム」、「摂生」及び「バスケットボールニュース」を含むと決定する。次いで、提示デバイス００２は、ウェブページであるページ＿１の元のウェブページコードと所定のリンク提示形式とに基づいて、ウェブページであるページ＿１の元のウェブページコード内に、ページの下部に提示するために、上記の５個のキーワードに対応するリンクのコードを追加し、それによって、５個のキーワードのリンクを含む新しいウェブページであるページ＿１を取得し、それをユーザに提示する。
【０１０１】
上記の例は、本発明の技術的解決策をよりよく例示するためのものにすぎず、本発明を限定するものではないことに留意されたい。アクセスされたウェブページ内で少なくとも１つのキーワードを提示するいかなる実現方法も、本発明の範囲内に含まれるべきであることを、当業者には理解されたい。
【０１０２】
次に、第１の取得デバイス００３は、前記少なくとも１つのキーワードに対するユーザの選択操作を取得して、ユーザの選択操作に基づいて、ユーザによって選択された、選択キーワードを決定する。
【０１０３】
例えば、第１の取得デバイス００３は、キーワードを提示するウェブページ内でユーザによってクリックされたキーワードを、選択キーワードとして使用する。別の例では、第１の取得デバイス００３は、キーワードを提示するウェブページ内のキーワード上で、マウスを使用して行われたユーザのホバリング操作を取得し、その上でマウスのホバリング時間が所定の時間の長さを超えるキーワードを選択する。
【０１０４】
次に、生成デバイス００４は、選択キーワードに対応する推奨ページを生成して、それをユーザに提示する。
【０１０５】
本明細書では、推奨ページは、選択キーワードに関連付けられたキーワード推奨情報のうちの少なくとも１つを含む。好ましくは、キーワード推奨情報は、キーワードに関連する広告情報を含む。
【０１０６】
本明細書では、ページ生成装置は、情報取得デバイス（図示せず）をさらに備える。
【０１０７】
本明細書では、情報取得デバイスは、推奨ページのための推奨情報のうちの少なくとも１つを取得する。情報取得デバイスは、検索（クエリ）デバイス（図示せず）をさらに備える。
【０１０８】
具体的には、検索デバイスは、選択キーワードに基づいて検索を実行し、推奨ページを生成するための推奨情報のうちの少なくとも１つを取得するようにする。
【０１０９】
好ましくは、ページ生成装置は、選択キーワードを拡張する。例えば、キーワード拡張ツールを使用して、代替キーワードを取得し、代替キーワードに関連する複数のキーワードに拡張する。次に、検索デバイスは、選択キーワードの拡張結果に基づいて検索を実行し、拡張結果に対応する推奨情報をキーワード推奨情報として使用する。
【０１１０】
次に、生成デバイス００４は、所定の推奨ページパターンと、取得された推奨情報のうちの少なくとも１つとに基づいて、選択キーワードに対応する推奨ページを生成し、少なくとも１つの推奨ページは、選択キーワードに関連付けられたキーワード推奨情報のうちの少なくとも１つを含む。
【０１１１】
第１の例の例示を続ける。第１の取得デバイス００３は、キーワードを提示するページ＿１上で、ユーザＡがキーワード「中古車」のリンクをクリックしたことを取得し、次いで、ページ生成装置は、「中古車」を、選択キーワードとして使用する。次に、ページ生成装置は、「中古車（second-hand vehicles）」及び「車（vehicle）」を含む、「中古車（second-hand vehicle）」の拡張結果を取得する。次いで、検索デバイスは、検索エンジンにおいて「中古車（second-hand vehicles）」及び「車（vehicle）」を検索し、「中古車（second-hand vehicles）」に対応する１０個の広告情報と、「車（vehicle）」に対応する２０個の広告情報とを、キーワード推奨情報として取得する。次に、生成デバイス００４は、所定の推奨ページテンプレートと、結果として得られた３０個の広告情報とに基づいて、推奨ページを生成する。
【０１１２】
上記の例は、本発明を限定するものではなく、本発明の技術的解決策をよりよく例示するためのものにすぎないことに留意されたい。選択キーワードに基づいて検索を実行し、キーワード推奨情報のうちの少なくとも１つを取得し、キーワード推奨情報のうちの少なくとも１つに基づいて、推奨ページを生成する、いかなる実現方法も、本発明の範囲内に含まれるべきであることを当業者には理解されたい。
【０１１３】
好ましくは、推奨情報のうちの少なくとも１つは、ユーザに関連付けられたユーザ推奨情報のうちの少なくとも１つをさらに含む。情報取得デバイスは、第３の解析デバイス（図示せず）をさらに備える。
【０１１４】
第３の解析デバイスは、ユーザのネットワーク利用履歴を解析して、ユーザに対応するユーザ推奨情報のうちの少なくとも１つを決定する。
【０１１５】
本明細書では、第３の解析デバイスが、ユーザのネットワーク利用履歴を解析して、ユーザに対応するユーザ推奨情報のうちの少なくとも１つを決定する方法は特に限定されないが、以下のうちのいずれか１つを含む。すなわち、
１）第３の解析デバイスが、所定の期間内のユーザの以前の検索履歴を取得し、次いで、所定の時間期間内にユーザによって使用された１又は２以上の検索ワードに基づいて、検索を実行し、関連推奨情報を、ユーザに対応するユーザ推奨情報として使用する。
２）第３の解析デバイスが、所定の期間内のユーザの以前の閲覧履歴に基づいて、ユーザに対応するユーザ推奨情報のうちの少なくとも１つを決定し、この方法は、具体的には以下を含む。すなわち、
ｉ）第３の解析デバイスが、所定の期間内にユーザによって閲覧された１又は２以上のウェブページのアドレス情報を取得し、次に、アドレス情報に基づいて検索を実行し、対応する推奨情報を、ユーザに対応するユーザ推奨情報として使用する。
ii）第３の解析デバイスが、所定の期間内にユーザによって閲覧されたウェブページのコンテンツを取得し、第２の解析デバイスによって、ユーザによって現在アクセスされているウェブページを解析して、ウェブページに対応するウェブページキーワードを取得する方法と同一又は同様である方法で、ウェブページに対応する１又は２以上のトピックワードを取得するようにする。次に、第３の解析デバイスが、１又は２以上のトピックワードに基づいて検索を実行し、対応する推奨情報を、ユーザに対応するユーザ推奨情報として使用する。
３）第３の解析デバイスが、ユーザが興味（関心）を示すプリセット情報に基づいて、ユーザに対応するユーザ推奨情報のうちの少なくとも１つを決定し、この方法は、具体的には以下を含む。すなわち、
ｉ）第３の解析デバイスが、プリセット情報に基づいて検索を実行し、対応する推奨情報を、ユーザに対応するユーザ推奨情報として使用する、
ii）第３の解析デバイスが、プリセット情報に基づいて、プリセット情報に関連付けられたウェブページを取得し、第２の解析デバイスによって実行された、現在のアクセスされているウェブページの解析を通して、ウェブページに対応するウェブページキーワードを取得する方法と同一又は同様の方法で、関連ウェブページに対応する１又は２以上のトピックワードを取得し、次に、第３の解析デバイスが、１又は２以上のトピックワードに基づいて検索を実行し、対応する推奨情報を、ユーザに対応するユーザ推奨情報として使用する。
【０１１６】
好ましくは、第３の解析デバイスは、ユーザに対応するプライバシーアクセス権を取得し、それぞれのネットワーク利用履歴がアクセス可能であるかどうかを、プライバシーアクセス権に基づいて判定して、アクセス可能なネットワーク利用履歴に基づいて、対応するユーザ推奨情報を取得するようにする。
【０１１７】
次に、生成デバイス００４は、キーワード推奨情報のうちの少なくとも１つと、決定されたユーザ推奨情報のうちの少なくとも１つとに基づいて、推奨ページを生成して、推奨ページをユーザに提示する。
【０１１８】
上記の第１の例の例示を続ける。第３の解析デバイスは、半月以内にユーザＡによってこれまでに使用された検索ワードが、「浄水器」及び「ミニゲーム」を含むことを取得し、次いで、ページ生成装置は、検索エンジンにおいて「浄水器」及び「ミニゲーム」を検索し、「浄水器」及び「ミニゲーム」に対応する１６個の広告情報を、ユーザＡに対応するユーザ推奨情報として生じる。次に、生成デバイス００４は、取得された、「中古車」及び「車」に対応する３０個の広告情報と、「浄水器」及び「ミニゲーム」に対応する１６個の広告情報とに基づいて、推奨ページを生成して、４６個の広告情報をユーザＡに提示する。
【０１１９】
上記の例は、本発明を限定するものではなく、本発明の技術的解決策をよりよく例示するためのものにすぎないことに留意されたい。ユーザのネットワーク利用履歴を解析して、ユーザに対応するユーザ推奨情報のうちの少なくとも１つを決定し、キーワード推奨情報のうちの少なくとも１つと、決定されたユーザ推奨情報のうちの少なくとも１つとに基づいて、推奨ページを生成する、いかなる実現方法も、本発明の範囲内に入るべきであることを、当業者には理解されたい。
【０１２０】
好ましくは、推奨情報のうちの少なくとも１つは、ホット推奨情報のうちの少なくとも１つをさらに備え、ページ生成装置は、検索エンジンからホット推奨情報のうちの１又は２以上をさらに取得し、さらに、ページ生成装置は、キーワード推奨情報のうちの少なくとも１つと、決定されたホット推奨情報のうちの少なくとも１つとに基づいて、推奨ページを生成して、推奨ページをユーザに提示する。
【０１２１】
本明細書において、ページ生成装置が検索エンジンからホット推奨情報のうちの１又は２以上を取得する方法は特に限定されないが、以下のうちのいずれか１つを含む。すなわち、
１）ページ生成装置が、最初に検索エンジンから１又は２以上のホットキーワードを取得し、ホットキーワードに基づいて、さらなる検索を実行し、それぞれのホットキーワードに対応するホット推奨情報を取得するようにする。
【０１２２】
本明細書では、ページ生成装置がホットキーワードを取得する方法は、上記で第２の決定デバイスがホットキーワードを取得する方法と同一又は同様であり、したがって、それについては詳述しない。
【０１２３】
２）ページ生成装置が、検索エンジンにおいて最も検索される１又は２以上のウェブページを、ホット推奨情報として使用する。
【０１２４】
上記の第１の例の例示を続ける。ページ生成装置によって取得されたホットキーワードは、「教育」及び「子供たち」をさらに備え、次いで、ページ生成装置は、検索エンジンにおいて「教育」及び「子供たち」を検索し、「教育」及び「子供たち」に対応する１４個の広告情報を、ホット推奨情報として取得する。次に、生成デバイス００４は、生じた「中古車」及び「車」に関連付けられた３０個の広告情報と、「教育」及び「子供たち」に関連付けられた１４個の広告情報とに基づいて、推奨ページを生成して、４４個の広告情報をユーザＡに提示するように推奨ページを生成する。
【０１２５】
本発明の解決策によれば、検索エンジンにおけるホットな情報とともに、ユーザのネットワーク利用履歴及びアクセスされたウェブページを解析することによって、ユーザが関心を示す、ウェブページコンテンツを示す、及びホットなコンテンツを示すキーワードが取得されて、決定されたキーワードをウェブページ内でユーザに対して提示するようにし、ユーザがアクセス可能なページ内で複数のソースからのキーワードを調べることができるようにし、それによって、ユーザが自分の最も関心のあるキーワードを見つける可能性を高め、それによって、キーワード推奨の正確さを向上させ、また、ユーザによって選択されたキーワードに基づいて、並びに、ユーザのネットワーク利用履歴及び検索エンジンにおけるホットな情報とともに、ユーザの選択キーワードに関連付けられた推奨情報、及び、ユーザ関心とホットな情報とに関連付けられた推奨情報が取得されて、取得された推奨情報を生成された推奨ページ内で提示するようにし、ユーザがキーワードのリンクをクリックした後、選択キーワードに関連付けられた推奨情報、及び、ユーザ関心とホットな情報とに関連付けられた推奨情報を、ユーザに提示することができるようにし、推奨情報のコンテンツがより豊富になるようにする。
【０１２６】
本発明のソフトウェアプログラムは、プロセッサによる実行を通して、上記のステップ又は機能を実行することができる。同様に、本発明のソフトウェアプログラム（関連データ構造を含む）は、コンピュータ可読記録媒体、例えば、ＲＡＭメモリ、磁気若しくは光学ドライバ、又はソフトフロッピー、又は同様のデバイスに記憶され得る。加えて、本発明のいくつかのステップ又は機能は、ハードウェアを使用して、例えば、プロセッサと協働して様々な機能又はステップを実行する回路として実現され得る。
【０１２７】
加えて、本発明の一部は、コンピュータプログラム製品、例えば、コンピュータによって実行されたとき、コンピュータの動作を通して本発明による方法及び／又は技術的解決策を実施又は提供し得る、コンピュータプログラム命令として適用され得る。さらに、本発明の方法を実行するプログラム命令は、固定若しくはモバイル記録媒体に記憶され、及び／又は、他の信号搬送波媒体においてブロードキャスト若しくはデータフローを通して送信され、及び／又は、プログラム命令に基づいて動作するコンピュータデバイスのワークメモリに記憶され得る。ここでは、コンピュータプログラム命令がプロセッサによって実行されたとき、装置が、本発明の複数の実施形態による方法及び／又は技術的解決策を動作させるようにトリガされる。
【０１２８】
当業者には、本発明が上記の例示的実施形態の詳細に限定されず、本発明が、本発明の趣旨又は基本的特徴から逸脱することなく、他の実施形態とともに実現され得ることが明らかである。したがって、いかなる形でも、実施形態は、限定的ではなく、例示的であると見なされるべきであり、本発明の範囲は、上記の説明ではなく、添付の特許請求の範囲によって限定される。したがって、特許請求の範囲の均等な要素の意味及び範囲に入るものとされるすべての変形形態は、本発明内に包含されるべきである。特許請求の範囲におけるいかなる参照符号も、関連する請求項を限定するものとして見なされるべきではない。その上、「備える」という用語は、他のユニット又はステップを除外せず、単数性は複数を除外しないことは、明らかである。システム請求項において示される複数のユニット又はモジュールはまた、ソフトウェア又はハードウェアを通して、単一のユニット又はモジュールによっても実現され得る。第１及び第２などの用語は、名称を示すために使用されるが、いかなる特定の配列を示すものでもない。
【図１】
2015191655.tif 000003
【図２】
2015191655.tif 000004
【外国語明細書】
2015191655000001.pdf